【事件の表示】
　特願２０１６−５１８９１３「人への光及び音インパクトをモニタするシステム、方法及びデバイス」拒絶査定不服審判事件〔平成２６年１２月１８日国際公開、ＷＯ２０１４／１９８５７０、平成２８年　９月　８日国内公表、特表２０１６−５２６９６１、請求項の数（１４）〕について、次のとおり審決する。
【結　論】
　原査定を取り消す。
　本願の発明は、特許すべきものとする。
【理　由】
第１　手続の経緯
　本願は、２０１４年（平成２６年）６月２日（パリ条約による優先権主張外国庁受理　２０１３年　６月１１日　（ＥＰ）欧州特許庁　２０１３年　６月１１日　（ＵＳ）アメリカ合衆国）を国際出願日とする出願であって、平成３０年４月２日付けで拒絶理由が通知され、同年７月１１日に意見書及び手続補正書が提出されたが、同年１１月７日付けで拒絶査定（原査定）がされたところ、平成３１年２月１５日に拒絶査定不服審判の請求がされたものである。
第２　原査定の概要
　原査定の概要は次のとおりである。
　本願の請求項１ないし１４に係る発明は、以下の引用文献１ないし６に基いて、その優先日前にその発明の属する技術の分野における通常の知識を有する者が容易に発明をすることができたものであるから、特許法第２９条第２項の規定により特許を受けることができない。
引用文献等一覧
１．特開２０１３−６６７０４号公報
２．特表２００９−５２０５５１号公報
３．特開２００２−６２１８６号公報
４．特開２００７−２７６７６６号公報
５．特表２００１−５１５７５５号公報
６．Wim Verkruysee et al.、Remote plethysmographic imaging using ambient light.、Optics Express、Vol. 16、Issue 26、2008年12月22日、pp. 21434-21445
第３　本願発明
　本願の請求項１ないし１４に係る発明（以下それぞれ「本願発明１」ないし「本願発明１４」という。）は、平成３０年７月１１日にされた手続補正で補正された特許請求の範囲の請求項１ないし１４に記載された事項により特定されるとおりのものであり、本願発明１及び１２は以下のとおりである。
「　　【請求項１】
　人に関する光及び音インパクトをモニタするシステムであって、
　時間にわたり前記人の環境光をキャプチャする光キャプチャユニットと、
　時間にわたり前記人の周囲音をキャプチャする音キャプチャユニットと、
　キャプチャされた環境光の輝度が輝度閾値を超える場合及び／又はキャプチャされた周囲音の音レベルが音閾値を超える場合、トリガ信号を生成して出す閾値ユニットと、
　前記人のストレスレベルを決定するストレスレベルプロセッサと、
　前記トリガ信号を受信するとき、前記トリガ信号を受信する時間の周りでキャプチャされる環境光及び周囲音の断片と、前記トリガ信号を受信する時間の周りでの前記人のストレスレベル情報の断片とを格納する格納ユニットと、
　前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にするレビューユニットとを有する、システム。」
「　　【請求項１２】
　人に関する光及び音インパクトをモニタするデバイスであって、
　時間にわたりキャプチャされる前記人の環境光の輝度が輝度閾値を超える場合及び／又時間にわたりキャプチャされる前記人の周囲音の音レベルが音閾値を超える場合、トリガ信号を生成して出す閾値ユニットと、
　前記人のストレスレベルを決定するストレスレベルプロセッサと、
　前記トリガ信号を受信するとき、前記トリガ信号を受信する時間の周りでキャプチャされる環境光及び周囲音の断片と、前記トリガ信号を受信する時間の周りでの前記人のストレスレベル情報の断片とを格納する格納ユニットと、
　前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にするレビューユニットとを有する、デバイス。」
　なお、本願発明２ないし１１、１３及び１４の概要は以下のとおりである。
　本願発明２ないし１０は、本願発明１を減縮した発明である。
　本願発明１１は、本願発明１に対応する方法の発明であり、本願発明１とカテゴリ表現が異なるだけの発明である。
　本願発明１３は、本願発明１２に対応する方法の発明であり、本願発明１２とカテゴリ表現が異なるだけの発明である。
　本願発明１４は、本願発明１３をコンピュータで実行させるためのコンピュータプログラムに対応する発明である。
第４　引用文献の記載事項、引用発明
１　引用文献１について
（１）原査定の拒絶の理由に引用された上記引用文献１には、次の事項が記載されている（下線は当審で付加した。以下同様。）。
（引１−ア）「【技術分野】
【０００１】
　本開示は、乳児監視の分野に関する。より詳細には、本開示は、新生児のストレスインジケータを監視することに関する。
【背景技術】
【０００２】
　ストレスは、新生児において生理学的に望ましくない。ストレスレベルが上昇すると、新生児に余計なカロリーを消費させて、ストレス反応をもたらす。この余計なカロリーの消費には、新生児の生存に欠かせない基礎的かつ発育上の努力からのカロリー消費が回される。
【発明の概要】
【０００３】
　ストレス反応に対する新生児の生理学的状態を検出することは、追加の診断ツールを医師にもたらす可能性があり、医師の介入または対応の方向付けにつながる。」
（引１−イ）「【発明を実施するための形態】
【０００８】
　図１は、乳児１２の生理学的状態を監視するためのシステム１０の実施形態を示している。乳児治療ステーション１４は、乳児を支持する概して水平な面１６を含む。乳児１２がその内部に置かれる微環境１８は、水平面１６および少なくとも１つの壁２０によって少なくとも部分的に画定される。少なくとも１つの壁２０は、可動式であってもよく、あるいはそうでなければ、アームポート２２を含んでもよい。可動式壁２０またはアームポート２２により、医師２４は乳児１２に近づくことが可能になる。
【０００９】
　本明細書において例示的に説明し示す乳児治療ステーション１４は、より詳細に開示される可動式キャノピを備えた結合型乳児治療ステーションである。この乳児治療ステーション１４の一例は、Ｇｅｎｅｒａｌ　Ｅｌｅｃｔｒｉｃ　Ｃｏｍｐａｎｙから入手可能なＯｍｎｉＢｅｄである。しかしながら、代替の実施形態において、乳児治療ステーション１４が、保育器、ラジアントウォーマ、およびバシネットを含むが、それらに限定されない様々な乳児治療ステーション構造物のうちのいずれであってもよいことを認識すべきである。これらの乳児治療ステーションそれぞれの実施形態は、少なくとも、概して水平な面と壁とにより、乳児向けの微環境を画定する。
【００１０】
　微環境１８は、微環境１８内の温度および医療用ガス濃度などの環境状態を管理するように、乳児治療ステーション１４によって調整される。乳児治療ステーション１４において管理される１つの共通する環境状態は、温度である。微環境１８および乳児１２の温度は、１つまたは組合せのやり方で管理される。キャノピ２６は、乳児１２および水平面１６に対して垂直方向に調節可能である。キャノピ２６は、乳児１２および水平面１６上に下向きの熱を放出する放射ヒータを含む。対流型ヒータ２８が乳児治療ステーション１４のベース３０内に配設される。対流型ヒータ２８は、周囲空気を引き込み、加熱コイル（図示せず）または他の加熱素子により周囲空気を加熱し、加熱した空気を微環境１８内に吹き込む。
【００１１】
　乳児治療ステーション１４は、水平面１６を垂直方向に調節させる調節可能柱脚３２を含む。乳児治療ステーション１４は、キャスタ３４をさらに備える。これは、乳児治療ステーション１４を移動可能にし、それにより乳児治療ステーション１４は、乳児を受け入れ、処置するための所望の場所に移動可能になる。あるいは、乳児治療ステーション１４は、乳児１２をある場所から別の場所に移動させるためにも使用することができる。
【００１２】
　乳児治療ステーション１４は、医師２４によって乳児１２を治療し易くし、処置し易くする様々な検知器および出力を含む。例示的な実施形態においては、乳児治療ステーション１４は、１つまたは複数の生理学的トランスデューサ３６を含む。生理学的トランスデューサ３６は、乳児１２から生理学的パラメータを取得する。生理学的トランスデューサ３６によって取得される生理学的パラメータは、心電計（ＥＣＧ）、筋電計（ＥＭＧ）、および脳波計（ＥＥＧ）などの生体電位であってもよいが、それらに限定されない。あるいは、生理学的トランスデューサによって得られる生理学的パラメータは、酸素飽和度（ＳＰＯ２）または非侵襲的に得られる血圧（ＮＩＢＰ）などの他のタイプの生理学的値であってもよい。当業者には理解されるであろうように、他の生理学的パラメータが生理学的トランスデューサ３６によって得ることができることは認識される。
【００１３】
　乳児治療ステーション１４は、生理学的トランスデューサ３６によって得られた生理学的パラメータを処理し、生理学的値を医師２４にグラフィックディスプレイ３８において示す。グラフィックディスプレイ３８をキャノピ２６の一部であると、またはキャノピ２６と一体であると例示的には示しているが、様々なグラフィックディスプレイ３８およびディスプレイの場所は、当業者には理解されるであろうように、乳児治療ステーション１４内で使用可能であることを認識すべきである。
【００１４】
　システム１０の実施形態は、１つまたは複数の環境検知器４０を含む。環境検知器４０の例は、音検知器４２および光検知器４４である。音検知器４２は、微環境１８内の周囲音を測定する。ある実施形態において、音検知器４２は、デジベル単位で音レベルを測定する。音検知器によって拾われる音は、乳児治療ステーション１４の機械的動作に起因する場合も、医師２４による介入に起因する場合も、または乳児治療ステーション１４の外部の周囲音からの場合もある。
【００１５】
　光検知器４４は、微環境１８の周囲光を検出し、ルーメン単位で発光を測定する。光検知器４４によって検出される光は、乳児１２の状態を監視または処置するために、乳児治療ステーション１４とともに使用される１つまたは複数の外部装置（図示せず）に起因する場合もある。あるいは、光検知器４４によって監視される微環境１８の周囲光は、乳児治療ステーション１４の外側の光源からのものである。さらには、キャノピ２６のいくつかの実施形態は、具体的には医師１２の照明を強めることを可能にするために、医師２４によって作動可能な１つまたは複数のライト（図示せず）を含む。これらの発生源の光または他の発生源の光はすべて、光検知器４４によってとらえられ、登録される。
【００１６】
　システム１０は、複数の運動検知器４６をさらに備える。運動検知器４６は、様々な運動検知実装形態のうちのいずれであってもよい。運動検知器４６の第１の非限定例は、ビデオカメラなど、デジタルビデオキャプチャデバイスである。より具体的な実施形態において、ビデオカメラは、電荷結合素子（ＣＣＤ）であり、可視光、紫外光、または赤外光のスペクトルのうちの１つまたは複数で動作することが可能である。代替の実施形態においては、運動検知器４６は、レーザなど、ビームを投射し、そのビームを運動検知器４６に対向する光学トランスデューサ（図示せず）を用いて受け、ただし、光学トランスデューサによって得られる信号がないとき、そのビームの破壊が検出される。さらなる別の実施形態において、運動検知器４６は、レーザなど、電磁エネルギーにより、その対象を「ペイント」し、乳児１２からの反射された電磁エネルギーを受け取る。この反射は、乳児１２の位置を決定するために使用される。
【００１７】
　システム１０の実施形態において、複数の運動検知器が微環境１８の周りに配設される。図１に例示的に示すように、複数の運動検知器４６が、運動検知器配列４８で配置可能である。諸実施形態において、配列４８は、乳児１２または水平面１６の長さに沿って延在する。あるいは、運動検知器４６は、キャノピ２６内に配置可能であり、微環境１８および乳児１２に下向きに方向付け可能である。
【００１８】
　使用される運動検知器４６の数が、使用される具体的な運動検知技術に部分的に左右されることに気付くであろう。例えば、運動検知器４６がビデオカメラである場合、実施形態は、単に１台のカメラしか必要としない場合がある。あるいは、レーザまたは他の電磁エネルギーベースの運動検知器には、様々な乳児の動作を検出するために、複数の検知器が必要である場合がある。
【００１９】
　図２は、複数の乳児５２の状態を監視するためのシステム５０の実施形態を示している。複数の乳児のそれぞれの乳児５２は、乳児治療装置５４内に置かれる。乳児治療装置５４は、例示的には、図１を参照して説明した乳児治療ステーション１４であってもよい。
【００２０】
　
乳児治療装置５４は、乳児５２の周りに微環境５６を画定する
乳児治療装置５４はそれぞれ、微環境５６の周りに配設された
環境検知器５８と、
運動検知器６０とをさらに備える
環境検知器５８
は、光検知器６２および音検知器６４の
を含む
運動検知器６０は、微環境５６内の乳児５２の運動を検出する
【００２１】
　
環境検知器５８および運動検知器６０からの出力は、乳児治療ステーション５４の構成要素である処理装置６６に供給される
【００２２】
　
乳児治療ステーション５４の処理装置６６はそれぞれ、監視された環境状態および乳児運動を中央処理装置６８に供給する
【００２３】
　中央処理装置６８はさらに、コンピュータ可読媒体７０に通信可能に接続されている。例示的な実施形態において、コンピュータ可読媒体７０は、ＦＬＡＳＨメモリなどの読取り専用メモリ（ＲＯＭ）であるが、コンピュータ可読媒体の代替の形態が本開示の範囲内で使用可能であることを当業者は理解するであろう。
【００２４】
　コンピュータ可読媒体７０は、中央処理装置６８によって実行されるコンピュータ可読コードによりプログラミングされ、それにより、中央処理装置６８は本明細書に開示するように動作する。代替の実施形態においては、コンピュータ可読媒体７０は、中央処理装置６８に通信可能に接続された別個の構成要素ではなく、中央処理装置６８との一体部分である。
【００２５】
　中央処理装置６８は、処理装置６６のそれぞれによって取得される環境検知器５８からの信号、および運動検知器６０からの信号を受け取るように動作する。中央処理装置は、乳児治療ステーション５４のそれぞれから受け取った環境検知器信号および運動検知器信号を比較するようにして分析する。この乳児分析に対する交差は、乳児治療ステーション５４ごとに体験される環境状態について、および乳児治療ステーション５４における乳児５２のそれぞれの結果的に生じるストレスレベルについて追加の情報をもたらす。中央処理装置６８は、環境状態と乳児ストレスレベルとの間の相関関係を決定する。
【００２６】
　例示的な実施形態において、環境検知器信号は、医師が乳児５２のうちの１人と対話することと関連付けられる環境変化を示す。これらの環境変化には、ＮＩＣＵのライトをつけること、またはＮＩＣＵ内に雑音をもたらすことが含まれる場合がある。光および雑音の変化は、介入を受けていないＮＩＣＵ内のその他の乳児のストレスレベルが上がる原因になり得る。医師の介入を受けていない乳児５２のこの残りのストレスレベルの上昇を識別すると、他の乳児５２によって体験されるストレスレベルを抑えようとする目的で、医師の介入に関する手順の変更が促される可能性がある。
【００２７】
　代替の実施形態において、システム５０における乳児治療ステーション５４は、複数の室内に物理的に場所決め可能である。より大きい乳児ストレスを引き起こす部屋のうちの１つの中で環境状態の指標を識別しようとする目的で、環境検知器信号および乳児ストレスレベルを異なる室内の乳児５２同士の間で比較することが可能である。これらの悪い環境状態を識別すると、これらの状態の影響または存在を抑えるために、したがって、特定の室内の乳児のストレスレベルを抑えるために医師の努力が払われることがあり得る。
【００２８】
　
集中処理装置６８は、グラフィックディスプレイ７２に通信可能に接続され、それを動作させる。
【００２９】
　システム５０の代替の実施形態において、
乳児治療ステーション５４はそれぞれ、
生理学的検知器７４をさらに含む
生理学的検知器７４は、乳児５２から生理学的データを得る
中央処理装置６８は、乳児治療ステーション５４の処理装置６６のそれぞれから生理学的検知器信号を受け取り、生理学的検知器信号は、乳児ストレスレベルを決定する際にさらに使用される
【００３０】
　図３Ａおよび図３Ｂは、生理学的検知器信号および運動検知器信号の例示的なグラフを示している。図３および図３Ｂはともに、ＳＰＯ２のグラフ７６、心拍数のグラフ７８、および呼吸数のグラフ８０を含む。さらには、図３Ａおよび図３Ｂは、検出された運動強度８２のグラフを含む。
【００３１】
　図３Ａおよび図３Ｂは、検出された医師の介入に対する２人の別々の乳児の反応を示している。グラフ３Ａおよびグラフ３Ｂは、乳児ストレスレベルの監視における３つの相を示している。第１相８４において、ベースラインの乳児運動強度が決定される。当然ながら、乳児は生き物であり、したがって、ある程度の随意および不随意運動を示すことになる。生まれながらの乳児の運動の例には、呼吸、または他の自発的な動作もしくは仕草を挙げることが可能である。実際、いくつかの実施形態における最小閾値レベルの運動欠如は、患者の危険因子と解釈される。
【００３２】
　次に、参照８６は、医師介入と関連付けられる運動強度の上昇を示す。微環境の中への医師の介入は、乳児治療装置の運動検知器によってとらえられ、したがって、高強度または高変動性運動の周期として登録される。運動検出システムが改善されると、一実施形態はさらに、医師が行う乳児との対話を識別する。このようなシステムは、パターン認識を使用して、医師の対話を識別することが可能である。この対話は、ひとたび識別されると、乳児の電子医療記録に記録することができる。
【００３３】
　最終相は、回復相８８であり、ここでは、運動強度のグラフ８２がベースラインの運動レベルに戻るはずである。医師の介入中に検出された追加の運動強度がひとたび終了した後は、回復相８８中に検出される運動強度は、乳児による運動に起因する。乳児による運動は、本明細書に説明する乳児ストレスレベルと相関性がある場合がある。乳児は、様々な随意および不随意動作によりストレスを示す場合がある。乳児は、たとえ早産児であっても、驚愕反射を呈し、それらは、具体的には目または口の顔面攣縮により示される。識別されたこれらの顔面攣縮は、このような驚愕反応および乳児ストレスの上昇の指標である。別のストレス動作は、乳児が脚部を真っ直ぐに突き出す意味の足部の突っ張り動作である。乳児の股関節は、わずかに外に広がり、足部および脚部の近くにあり得る任意の種類のおくるみまたは他の構造物を押しやる傾向がある。
【００３４】
　乳児ストレスを示すさらなる動作は、乳児の腕部の横への広がりである。早産児は、しばしば、例えば正中面に向かって快適な位置の中に碗部を引き戻すためのエネルギー、筋力、または調整力をもっていないことがある。乳児は、この快適位置に自分の腕部を戻すことができないとき、伸ばすように、または離すように指を動かすことで指の広がりを示す場合がある。したがって、指の広がりは、乳児ストレスレベルのさらなる指標である。先に述べたように、乳児ストレスレベルは、全体的な運動強度によってのみ決定される必要はない。代替の実施形態において、これらの述べた乳児動作のうちの１つまたは複数を識別するためのパターン認識を使用して、乳児のストレスのレベルを識別することが可能である。
【００３５】
　図３Ａおよび図３Ｂを参照すると、さらなる別の実施形態が、乳児のストレスレベルを診断する際に、乳児の運動強度ならびに乳児の生理学的パラメータの変化をともに分析する。
【００３６】
　図３Ａにおいて、医師の介入８６の間、乳児は、呼吸数８０および心拍数７８の上昇と組み合わせて運動強度の上昇を示すことが分かる。これらの上昇は、ＳＰＯ２のグラフ７６の下降と組み合わせられる。これらの傾向はすべて、乳児ストレスの上昇を示す。これらの指標のそれぞれが、医師の対話８６と一致したので、その対話自体が乳児にストレスをもたらしていることと決定付けることが可能である。しかし、回復相８８においては、運動強度８２、呼吸数８０、および心拍数７８はすべて、ベースライン相８４に見られたレベルまで下降し、戻る。同様に、ＳＰＯ２のグラフ７６は、ＳＰＯ２のグラフ７６が介入前のレベルに達するまで、回復相８８全体にわたって上昇し続ける。したがって、図３Ａは、医師介入に対する正常なまたは所望のストレス反応中に観察可能な生理学的および運動強度の値の例示的な実施形態である。
【００３７】
　図３Ａのグラフは、図３Ｂに見られるグラフと比較され、乳児は、具体的には回復相８８の間の呼吸数のグラフ８０に何らかの回復を示す一方、医師の対話８６の後、運動強度のグラフ８２は高いままである。同様に、心拍数のグラフ７８およびＳＰＯ２のグラフ７６は、回復相８８の間、それらのそれぞれの介入前のレベルまで戻ることができない。したがって、図３Ｂに見られるこのストレス反応は、医師介入後のストレスレベルの上昇を体験している乳児を例示的に示している。
【００３８】
　図３Ｂに示すように、図２のグラフィックディスプレイ７２を使用して例示的に示す乳児ストレスレベルの上昇を表示することにより、医師は、乳児のさらなるストレスの原因を診断するように乳児の視診を促される可能性がある。このような追加のストレスは、乳児の位置決めの結果、または医師の介入中に開始された処置の結果からである場合がある。非限定例として、ストレスは、誤ったＩＶ、カテーテル、または急激な注入液速度から生じる場合がある。
【００３９】
　図４Ａおよび図４Ｂは、同様に、乳児治療ステーションによって取得される信号の例示的な出力を示している。図３と図４の間の同様の参照符号は、同様の生理学的可変グラフを示すために使用されることに留意されたい。図３および図４のグラフ間の違いのうちの１つは、図４Ａおよび図４Ｂが、環境状態検知器のグラフ、すなわち光強度のグラフ９０および音量のグラフ９２をさらに含むことである。図４Ａのグラフおよび図４Ｂのグラフは、環境状態の変化に応じて、乳児運動強度８２の変化と、ストレスレベルの全体的な上昇とを示す例示的な実施形態を提供する。
【００４０】
　図４Ａにおいて、光強度のグラフ９０は、光強度が上昇した２つの周期を示す。光強度が上昇したこれらの２つの周期は、例示的には、医師が乳児のうちの１人または複数と対話するためにＮＩＣＵに入り、ライトをつけたことからである可能性がある。本例においては、監視されている乳児は、医師が対話した乳児でないと見なすこともできる。検出した音レベル９２は、監視された時間周期全体にわたって、比較的一定のままである。
【００４１】
　乳児は、第１の周期９４の光強度の上昇に対して、運動強度８２、呼吸数８０、心拍数７８、およびＳＰＯ２　７６の各グラフにおいて正常なまたは特徴的な反応を見せる。これは、ＮＩＣＵのライトがついたことによって引き起こされる乳児への驚愕反応または他の混乱を示すことがあり得る。ひとたびライトが消されると、乳児は、回復周期に入り、運動強度８２、呼吸数８０、心拍数７８、およびＳＰＯ２　７６はすべて、以前のベースラインレベルに戻る。
【００４２】
　光強度が上昇した第２の周期９６では、乳児は、同じ反応を示さない。反対に、光強度の外部刺激が取り除かれた後でさえも、乳児のＳＰＯ２　７６は下降したままであると同時に、乳児の運動強度８２、呼吸数８０、および心拍数７８は上昇したままである。これらは、乳児が追加のまたは継続的なストレスを体験していることを示している。第２の光周期９６と、乳児の逆反応との一致する始まりは、この事象と乳児の状態との間の相関関係をもたらす。したがって、以前、光にさらされたときはそうではなかったが、追加的に光にさらされたことが乳児へのストレスにつながったと決定付けることができる。
【００４３】
　図４Ｂは、乳児治療ステーションによって監視された状態のグラフのさらなる別の例示的な実施形態を示している。図４Ｂに示すグラフがもたらすであろう１つの可能なシナリオは、医師の介入相８６の間、乳児と対話する医師であることになる。乳児と対話するために、医師はＮＩＣＵに入り、ライトをつけることになり、光強度のグラフ９０の強度の上昇が生じる。同様に、医師と乳児との間の対話は、ＮＩＣＵの雑音の上昇をもたらすことがあり得、それは音量のグラフ９２に示される。このような手順は、当業者には理解されるであろうように、例示的に、医師によって乳児に対して行われるカテーテル挿入、または撮像、あるいは他の手順であり得る。
【００４４】
　医師と乳児との間の対話の終了後、対話からの雑音は簡単になくなり、医師は、ＮＩＣＵのライトを消す。その後間もなく、ＮＩＣＵ内で雑音レベルが９８において再度上昇する。これは、例示的には、ＮＩＣＵ内の他の乳児のうちの１人が泣いたことによる、またはＮＩＣＵ内の機械装置の動作または故障による可能性がある。回復相８８の間、９８における雑音の上昇と、運動強度のグラフ８２によって識別される乳児の回復不足との間の相関関係が識別可能である。乳児の運動強度の上昇に加えて、乳児の呼吸数８０および心拍数７８は上昇したままであると同時に、乳児のＳＰＯ２　７６は下降を続ける。雑音９８がなくなった後でしか、乳児の測定されたパラメータは、正常への戻りを開始しない。したがって、図３Ａ〜図４Ｂに見られる例示的なグラフは、検出された乳児のストレスレベルの様々なシナリオを示している。
【００４５】
　図５は、乳児の生理学的状態を監視する方法１００の実施形態を示す流れ図である。方法１００は、１０２で開始し、そのとき、乳児の運動が検出される。図１および図２に関して上述したように、乳児の運動は、ビデオキャプチャ、または電磁付勢の他の使用を含む様々なやり方で検出可能である。
【００４６】
　１０４において、乳児のベースライン運動が抽出される。図３および図４に関して説明したように、乳児は、様々な随意動作および不随意動作を行うことになり、これは、異なる乳児がその正常な状態で様々な程度の運動を見せることがあるので、個々の乳児ごとにベースラインを確立することになる。
【００４７】
　１０６において、補助パラメータの始まりまたは変化が監視される。補助パラメータは、本明細書において説明してきた、または当業者に理解されるであろうパラメータのうちのいずれであってもよい。補助パラメータは、ＳＰＯ２、心拍数、呼吸数、または血圧など、しかしそれらに限定されない生理学的パラメータであってもよい。あるいは、補助パラメータは、光強度または雑音の音量などの本明細書に説明する環境状態であってもよい。補助パラメータのさらなる別の例は、乳児の電子医療記録に見られる表記など、医師の手順または他の対話を示すものであってもよい。１０６において、これらの補助パラメータのうちの１つまたは複数が、これらのパラメータのうちの１つまたは複数の始まりまたは変化を検出するために監視される。これらのパラメータの変化の始まりの例は、図３Ａ〜図４Ｂに見られる例に示される。
【００４８】
　補助パラメータの始まりまたは変化が１０６において検出された後、次いで、１０８において、補助パラメータの始まりまたは変化の後の乳児の運動が監視される。乳児の運動は、上述の開示した運動検知器によって検出される。
【００４９】
　１１０において、乳児のストレスレベルが、乳児の監視された運動から抽出される。上述したように、乳児ストレスレベルは、運動強度を診断することによって抽出可能であるが、あるいは、特定のタイプの乳児運動を識別するためのパターン照合を診断することによっても抽出可能である。ストレスの上昇を示す特定のタイプの乳児運動の非限定例には、顔面攣縮、足部の突っ張り、または指の広がりが挙げられる。さらには、図３Ａ〜図４Ｂに関して上述したように、乳児運動の診断と補助パラメータのうちの１つまたは複数との一緒の組合せもまた、乳児のストレスレベルを抽出するために使用することができる。さらには、運動強度の上昇と、心拍数または呼吸数の上昇、あるいはＳＰＯ２の下降などの生理学的兆候との一緒の組合せは、乳児がストレスを受けていることを示す。
【００５０】
　図６は、乳児１２の生理学的状態を監視するためのシステム２００の実施形態を示している。システム２００の構成要素の多くは、図１に関して上述した構成要素と同一である。共通の参照符号が、図６のシステム２００と図１のシステム１０との間で同一の構成要素を識別するために使用されている。図１に関して上述した構成要素を図６に関しては詳細に説明しない。
【００５１】
　システム２００は、いくつかの外部環境検知器を含む。ある実施形態によれば、外部環境検知器には、運動検知器２０２、光強度検知器２０４、音検出器２０６、および室温検知器２０８を挙げることができる。外部環境検知器２０２、２０４、２０６および２０８は、（図２に示す）微環境５６内の環境状態を検出するために使用される（図２に示す）環境検知器５８に類似する検知技法および技術を使用することが可能である。しかしながら、外部環境検知器は、微環境５６の外側の領域からデータを取得するようになされている。外部環境検知器２０２、２０４、２０６、および２０８は、ある実施形態により、乳児治療ステーション１４のキャノピ２６上に取り付けられる。しかし、外部環境検知器２０２、２０４、２０６、および２０８は、乳児治療ステーション１４の種々の部分に取り付けられても、または他の実施形態により、ＮＩＣＵ内の他の場所、例えば、壁もしくは天井に取り付けられてもよい。ＮＩＣＵが複数の部屋を含む実施形態において、部屋ごとに外部環境検知器を有することは有利である場合があり、それにより、医師２４は、乳児治療ステーションごとにおいて体験される外部環境状態を比較することが可能になる。
【００５２】
　図７は、
複数の乳児５２の生理学的状態を監視するためのシステム２１０
それぞれの乳児５２は、乳児治療ステーション内に置かれ
図６を参照して説明した乳児治療ステーション２１２であってもよい
【００５３】
　
システム２１０はまた、処理装置６６に接続された複数の外部環境検知器２１４を含む
外部環境検知器２１４には、運動検知器２１６、光強度検知器２１８、および音検出器２２０
【００５４】
　外部環境検知器２１４は、乳児治療ステーション２１２のそれぞれの中で処理装置６６に通信可能に接続されているように示されている。しかし、他の実施形態によれば、外部環境検知器２１４は、乳児治療ステーション２１２のそれぞれと関連付けられた、処理装置６６の代わりの中央処理装置６８に通信可能に接続可能である。いずれかの実施形態によれば、中央処理装置６８は、外部環境検知器２１４からの信号を環境検知器６２、６４からの信号と比較する。処理装置６６もまた、乳児治療ステーション２１２のそれぞれにおいて乳児の運動を検出する運動検知器６０からの信号を受信する。上述したように、
光検知器６２および音検知器６４はともに、微環境５６のそれぞれの内部の環境状態を検出し
中央処理装置６８は、環境検知器６２、６４、および外部環境検知器２１４からの信号を比較し、相関付けることが可能である
【００５５】
　図８Ａおよび図８Ｂは、あるＮＩＣＵ内で異なる所に場所決めされた別個の乳児治療ステーションにおける２人の乳児に関する生理学的信号、運動検知器信号、環境信号、および外部環境信号の例示的なグラフを示している。図８Ａおよび図８Ｂはともに、例示的な実施形態により、外部光のグラフ２４０、光のグラフ２４２、ＳＰＯ２のグラフ２４４、心拍数のグラフ２４６、呼吸数のグラフ２４８、および運動のグラフ２５０を含む。外部光のグラフ２４０は、外部環境検知器により取得され、一方、光のグラフ２４２は、環境検知器により取得される。
【００５６】
　相２５２において、図８Ａおよび図８Ｂの両方の乳児は、ＳＰＯ２のグラフ２４４、心拍数のグラフ２４６、呼吸数のグラフ２４８、および運動のグラフ２５０が示すように、低ストレス状態にある。相２５４の間、図８Ａおよび図８Ｂの両方の乳児は、より高いストレスレベルを示す兆候を見せる。例えば、ＳＰＯ２レベルは下降し、心拍数および呼吸数はともに上昇し、どちらの乳児も、運動のグラフ２５０が示す、より高いレベルの運動を体験する。相２５６の間、どちらの乳児も、より高いレベルの運動、より高い心拍数、およびより高い呼吸数が示す、より高いレベルのストレスを引き続き呈する。
【００５７】
　図８Ａにおいて、外部光のグラフ２４０および光のグラフ２４２はともに、相２５２から相２５４に移る間に急激な上昇を示す。これは、ＮＩＣＵの一部の中で医師がライトをつけたことに容易に対応する場合があり得、または図８Ａに示す乳児の微環境に達することが可能な別の発生源による周囲光からの場合もあり得る。外部光のグラフ２４０および光のグラフ２４２はともに、互いに追いかけ、そのことは、外部光が、より高いレベルのストレスを体験している乳児に関与することになり得るストレッサーのうちの少なくとも１つであることを示すことができる。図８Ａにおいて、乳児は、相２５６が示すように、ストレッサーが、すなわち光が取り除かれた後でも、より高いレベルのストレスを維持している。
【００５８】
　図８Ｂを参照すると、光のグラフ２４２、ＳＰＯ２のグラフ２４４、心拍数のグラフ２４６、呼吸数のグラフ２４８、および運動のグラフ２５０はすべて、概して、図８Ａに示すグラフと同様の傾向を示す。しかし、外部光のグラフ２４０は、図８Ａと図Ｂとでは非常に異なる。図８Ｂの外部光のグラフは、ベースラインレベルから動いていない。しかし、光のグラフ２４２が示すように、微環境内には光が依然、存在する。乳児は、光のグラフ２４２に示される光に応答して、ストレスレベルの上昇を示す。しかし、外部光は存在しないので、乳児を混乱させている光の発生源は、図８Ａの乳児を混乱させている光の発生源とは異なる可能性が高い。例えば、光のグラフ２４２をもたらす光源は、乳児を照らすことを目的とする乳児治療ステーション内に格納されたライトからである可能性がある。
【００５９】
　図８Ａおよび図８Ｂの乳児による反応が非常に類似していても、（図７に示す）中央処理装置６８は、図８Ａおよび図８Ｂに表示されたデータに基づいて別の相関付けを行うことができるようになる。例えば、図８Ａのグラフを作成するために使用されるデータは、乳児のストレスレベルの上昇の開始とともに、外部光のグラフ２４０と光のグラフ２４２との間の相関関係を示す。外部光のグラフ２４０と光のグラフ２４２との間の類似性は、外部光が、乳児のストレス反応の上昇に関与するストレッサーのうちの最も可能性があるストレッサーであることを意味する。比較すると、図８Ｂは、光のグラフ２４２の相２５４で明らかなように、微環境において可視であるライトのスイッチが入ったことを示している。しかし、相２５４における外部光のグラフ２４０には変化はない。したがって、中央処理装置６８は、乳児のストレスレベルの上昇が、微環境内部からは目に見える光ではあっても、ＮＩＣＵにおける外部光からではない光と相関していると決定することができるようになる。
【００６０】
　乳児治療ステーションを囲むＮＩＣＵの環境状態について外部環境検知器から信号を取得することは、１人または複数の医師が、様々な乳児に影響をもたらすストレッサーを正確に識別するのに役立つ。これらのデータに基づいて、医師は、ＮＩＣＵの乳児が体験するストレスレベルを最小限に抑えるために、ルーチンおよび振る舞いを修正することができる。図８Ａおよび図８Ｂに示す例は、１つの外部検知器、すなわち外部光検知器からの信号しか含んでいないので、比較的単純である。しかし、外部光検知器からのデータを使用することによって、中央処理装置は、図８Ａの外部光レベルと乳児に対するストレスレベルとの間、および図８Ｂの光レベルと乳児に対するストレスレベルとの間の相関付けを行うことができる。外部検知器データなしでは、医師は、効果的にストレッサーを取り出すことができなくなる。図８Ａおよび図８Ｂに示す例示的な実施形態からのデータに基づいて、医師は、ＮＩＣＵの状態を修正して、図８Ａと関連する乳児によるＮＩＣＵの外部光を抑え、図８Ｂと関連する乳児の微環境内の光を抑えることが可能になる。これらの２人の乳児は、ＮＩＣＵの別の場所、あるいはさらには別の部屋に場所決めされる可能性があるので、１つまたは複数の外部環境検知器からの追加の詳細が、医師らの負担を和らげ、乳児に対してより低いストレス環境を生み出すことになり、そのことは、早産児の生存率および長期的健康を上昇させるために重要であり得る。
【００６１】
　本明細書において上述した例示的実施形態は、１つのタイプの外部環境検知器からのみのデータを使用しているが、他の実施形態は、種々のタイプの外部環境検知器または複数の外部環境検知器を含むことができることを認識されたい。（図７に示す）中央処理装置６８によって実行される相関付けは、いずれの外部環境状態が所与の乳児のストレスレベルの上昇に関与しているのかはすぐに明らかにならない場合があるので、さらなる変化に対処する際には尚更重要である。上述したように、
中央処理装置６８は、乳児の生理学的パラメータおよび運動を分析することによって、乳児のストレスレベルを決定することが可能である
中央処理装置６８は、環境状態および外部環境状態のうちのいずれが、特定の乳児治療ステーションにおける所与の乳児の高いストレスレベルと最も高く相関付けられるのかに関して、具体的なデータを医師に提供することが可能になる。次いで、医師は、可能な限り乳児のそれぞれが体験したストレスを抑えるために、ＮＩＣＵ内の自分の振る舞いおよび／または環境を修正することができる。
【００６２】
　図９は、ＮＩＣＵ内の様々な場所および環境状態における乳児のストレスレベル間の相関関係を伝えるために使用可能なディスプレイ３００の実施形態を示している。ディスプレイ３００は、図７に示すグラフィックディスプレイ７２などのグラフィックディスプレイにおいて見ることができる。ディスプレイ３００は、ＮＩＣＵ内に場所決めされた特定の乳児治療ステーションにそれぞれの集合データをリンクさせた乳児治療ステーション識別子３０２を含む。ディスプレイ３００は、９台の乳児治療ステーションを示しているが、他の実施形態は種々の台数の乳児治療ステーションを含むことが可能である。乳児治療ステーションは、医師がストレッサーと特定の乳児治療ステーションとの間の追加の関係をより識別し易くするのに役立つように、ＮＩＣＵ内で使用されているレイアウトに類似するレイアウトでディスプレイ３００上に配置可能である。他の実施形態によれば、すべての乳児治療ステーションからのデータは、他の配向で配置され得る。
【００６３】
　ディスプレイ３００は、インデックスとして表示されたデータを含む。図９に示す実施形態によれば、インデックスは、それぞれのパラメータまたは環境状態の相対強度を示す数値尺度を含むことが可能である。ディスプレイ３００は、ストレスレベルのインデックス３０４、光のインデックス３０６、外部音のインデックス３０８、および外部光のインデックス３１０を含む。乳児治療ステーションごとにインデックスを比較することによって、医師は、どの乳児が高いストレスレベルを体験しているのか、およびどのストレッサーがその高いストレスレベルの原因になっている可能性が最も高いのかを容易に決定することができる。例示の実施形態は、数値のインデックスを含むが、他の実施形態は、ディスプレイ３００において、色または位置を含む他の形態のインデックスを使用することができる。他の実施形態は、ストレッサー、または所望されるよりも高いストレスレベルを有する乳児治療ステーションをより明確に識別するために、数値または色など、インデックスの組合せを使用することができる。
【００６４】
　例えば、外部光のインデックス３１０の値を見ると、乳児治療ステーション２は、値９を有し、一方、治療ステーション１および３は、値８を有する。外部光インデックスの値は、乳児治療ステーション２から離れるにつれて減少する。この相関関係に基づいて、医師は、外部光の発生源が乳児治療ステーション２の近くに場所決めされた乳児に少なくとも何らかのストレスをもたらしていると決定できる場合がある。同様に、外部音のインデックス３０８の値を観察することによって、類似の関係を決定付けることが可能である。外部音のインデックス３０８の値は、ベッド７のそばで最も高く、ベッド７から離れるにつれて減少する。この相関関係に基づいて、医師は、音の発生源が乳児治療ステーション７の近くにあると決定できる場合がある。別の実施形態によれば、
中央処理装置６８は、様々なストレッサーと乳児治療ステーションのそれぞれとの間の相関関係を決定できる
特定の乳児のストレスレベルと正に相関付けられる
環境状態および／または
外部環境状態を識別することが可能である
環境検知器および外部環境検知器からの受信した信号に基づいて、特定の環境ストレッサーの疑わしい場所を識別する
グラフィックディスプレイ７２においてこれらの相関関係を表示することが可能である
【００６５】
　本明細書において開示するシステムおよび方法の実施形態は、乳児のストレスレベルを診断することによって、乳児の状態表示の改善を可能にする。ストレスレベルが上昇すると、早産児の前向きな予後が抑えられることにつながりかねない。したがって、医師の対話および新生児の状態は、本明細書に説明したようなやり方で乳児の状態を監視し、レポートすることによって改善することができる。」
（引１−ウ）【図４Ａ】
「
　　　　　　　　　　　　　　　　　　　　　　　　」
（引１−エ）【図４Ｂ】
「
　　　　　　　　　　　　　　　　　　　　　　　　」
（引１−オ）【図５】
「
　　　　　　　　　　　　　　　　　　　」
（引１−カ）【図６】
「
　　　　　　　　　　　　　　　　　　　　　　　　」
（引１−キ）【図７】
「
　　　　　　　　　　　　　　　　　　　　　　　　　　　　　」
（引１−ク）【図８Ａ】
「
　　　　　　　　　　　　　　　　　　　　　　　　」
（引１−ケ）【図８Ｂ】
「
　　　　　　　　　　　　　　　　　　　　　　　　」
（引１−コ）【図９】
「
　　　　　　　　　　　　　　　　　　　　　　　　　　　　　　　　　」
（２）引用文献１の記載において、「中央処理装置６８」及び「集中処理装置６８」は、同じものを表すと認められることから、以下、表記を「中央処理装置６８」に統一する。
　上記（引１−ア）ないし（引１−コ）の記載から、引用文献１には、以下の発明（以下「引用発明」という。）が記載されていると認められる。
「　複数の乳児５２の生理学的状態を監視するためのシステム２１０であって、
　それぞれの乳児５２は、個別の乳児治療ステーション２１２内に置かれ、
　乳児治療ステーション２１２は、乳児５２の周りに微環境５６を画定し、微環境５６の周りに配設された環境検知器５８と、運動検知器６０とを備え、
　環境検知器５８は、光検知器６２及び音検知器６４を含み、光検知器６２及び音検知器６４はともに、微環境５６のそれぞれの内部の環境状態を検出し、
　運動検知器６０は、微環境５６内の乳児５２の運動を検出し、
　環境検知器５８及び運動検知器６０からの出力は、乳児治療ステーション２１２の構成要素である処理装置６６に供給され、
　乳児治療ステーション２１２の処理装置６６はそれぞれ、監視された環境状態及び乳児運動を中央処理装置６８に供給し、
　乳児治療ステーション２１２はそれぞれ、生理学的検知器７４をさらに含み、
　生理学的検知器７４は、乳児５２から生理学的データを得、
　中央処理装置６８は、乳児治療ステーション２１２の処理装置６６のそれぞれから生理学的検知器信号を受け取り、生理学的検知器信号は、乳児ストレスレベルを決定する際にさらに使用され、乳児の生理学的パラメータ及び運動を分析することによって、乳児のストレスレベルを決定することが可能であり、
　システム２１０はまた、処理装置６６に接続された複数の外部環境検知器２１４を含み、
　外部環境検知器２１４には、運動検知器２１６、光強度検知器２１８及び音検出器２２０が含まれ、
　中央処理装置６８は、グラフィックディスプレイ７２に通信可能に接続され、それを動作させ、
　中央処理装置６８は、環境検知器５８及び外部環境検知器２１４からの信号を比較し、相関付けることが可能であり、様々なストレッサーと乳児治療ステーションのそれぞれとの間の相関関係を決定でき、特定の乳児のストレスレベルと正に相関付けられる環境状態及び／又は外部環境状態を識別することが可能であり、環境検知器５８及び外部環境検知器２１４からの受信した信号に基づいて、特定の環境ストレッサーの疑わしい場所を識別し、グラフィックディスプレイ７２においてこれらの相関関係を表示することが可能である、
システム２１０。」
２　引用文献２について
（１）原査定の拒絶の理由に引用された上記引用文献２には、次の事項が記載されている。
（引２−ア）「【技術分野】
【０００１】
　本発明は、ストレッサー検出システムに関する。また、本発明は、ストレッサーを検出する方法に関する。」
（引２−イ）「【発明が解決しようとする課題】
【０００５】
　本発明の目的は、ある人物の環境におけるストレッサー（stressor）に関する更に正確な情報を取得するシステムを提供することにある。」
（引２−ウ）「【００４４】
　図１は、ストレッサー検出システム１００の概念を表すブロック図である。ストレッサー検出システム１００は、
人がさらされている物理的な減少を表す信号を取得するセンサ手段１０１を有する。センサ手段１０１は、たとえばカメラ１０４、光センサ（図示せず）、マイクロフォン１０５、電子ノイズ（e-nose）１０６、バイブレーションセンサ（図示せず）、又は有利には３次元加速度計（図示せず）である加速度計を有する場合がある
【００４５】
　知覚のストレッサーセンサ１００は、ユーザの知覚により捕らえられる環境信号を測定し、ユーザに関する身体的／生理的な負荷の測定値を計算する。」
（引２−エ）「【００５２】
　別の実施の形態は、光センサ又はカメラ１０４、及び、光又は画像処理ハードウェア及びソフトウェア１０２、出力手段１０３に結合される任意のディスプレイ、及び、人体に小型装置して取り付けることができる任意のインタラクション手段を有する装置により形成される。この装置は、上述されたように、マイクロフォン１０５、並びに、音声処理ハードウェア及びソフトウェア１０２を有する。
日光及びフルスペクトル光は、ストレスレベルを低下するために良好であるが、蛍光灯のような非自然光は、任意の強度でストレッサーとして機能する
【００５３】
　システムのような出力の１つは、
カラーレンダリングインデックス（ＣＲＩ）
ＣＲＩは、テスト光源のカラーレンダリングを、５０００Ｋを超える色温度をもつ光源を除いて、一般に黒体輻射である「パーフェクト」な光源のカラーレンダリングに比較することで測定され、このケースでは、シミュレートされた昼間の光が使用される。たとえば、標準的な「白色」蛍光灯は、６２に近いＣＲＩを有する
色温度（ＣＴ）
【００５４】
　光の安定したスペクトルを測定するよりはむしろ、ストレッサー検出システムとの使用のためのスペクトル測定システムは、連続モードで動作することが好ましい。そのように、ＣＲＩ及び／又は色温度（ＣＴ）又は他の関連する量は、連続的に知られる。通常、スペクトル測定システムは、単色光源のスペクトルを測定する。ストレッサー検出システムとの使用のため、スペクトル測定システムは、ＣＲＩ、色温度、又は（無指向性の）環境光の他の関連する量を測定することが好ましい。ＣＲＩ又はＣＴ若しくは環境光の他の関連する量を連続的に測定することで、それぞれの量を表す信号が得られる。処理手段１０２に日時を提供することで、信号は、測定が行われた時間と関連付けすることができる。好ましくは、日時の関数としてそれぞれの量を表す基準信号は、処理手段１０２にとって利用可能になる。基準信号は、理想的な状況下でそれぞれの量に対応する。代替的に、基準信号は、たとえばノーマル、平均、又は望まれない状況下でそれぞれの量に対応する。好ましくは、既知のストレッサー値に関連される１以上の係る信号は、処理手段１０２にとって利用可能となる。測定された信号を１以上の基準信号と比較することで、人の現在の環境と基準信号との間の比較を行うことができる。係る比較から、ストレッサー値を取得することができる。日時を考慮して現在測定された信号が８０％について０．２のストレッサー値に関連される基準信号と比較され、現在測定された信号が２０％について０．７のストレッサー値に関連される基準信号と比較される場合、処理手段は、０．３のストレッサー値を決定する。同様に、季節要因は、処理手段１０２に年の時間と、異なる年の時間に対応する基準信号とを処理手段１０２に供給することで組み込まれる。
【００５５】
　光強度における変化は、ストレッサーレベルに寄与する。てんかんは、ストロボスコープライトにより導入することができる。重みは、どの程度にまで、光のエンベロープがストレッサーレベルに寄与するかを判定する。別の実施の形態では、光は、一様な光源として扱われないが、その個々の色成分又は更に画像として扱われる。画像の固有の複雑さたとえばエッジ検出を使用し、個々の領域をカウントして決定することができる。時間を通した動きの量は、既知の動き予測技術を使用して計算される。画像の複雑さ及び時間を通した動きの量は、これらの画像を処理するために脳による更なる認識の努力が必要となるので、予め決定されたそれぞれの重みをもつストレッサーレベルを追加する。別の実施の形態では、オブジェクトを認識することができ、重みは、オブジェクトのタイプに起因させることができる。たとえば、武器は正の重みと関連付けされ、花は負の重みと関連付けされる。」
（引２−オ）「【００５８】
　ユーザへのダイレクトフィードバックとして、先に記載された実施の形態の何れかのストレッサーセンサの出力手段１０３は、その環境がどの位ストレスが多いかに関する測度を与え、これをある期間にわたり要約する。たとえば、最後の数分又は数秒の状況を報告することができる。これは、たとえば労働法の基準といった、ストレスに関連する基準を違反するエリアから離れるようにユーザに催促する。
【００５９】
　また、目覚める時間からの期間が使用される場合がある。これは、どのような外部ファクタが彼の感覚に影響を与えるかに気付くようになるので、ユーザが彼自身の整理を良好に理解するのを助ける。全体の睡眠時間を式に含むことができ、不十分な睡眠時間は、所定の前日のストレスレベルが次の日に持ち越されることを意味する。このケースでは、ストレッサーレベルは、目覚めの時間で全体的にゼロにリセットされていないが、前日の一部で開始し、その一部は、睡眠の期間及び品質に関連する。任意に、ストレッサーセンサは、ピアグループ又は友人のような他のユーザのストレッサーセンサとの比較を示し、これにより、現在のレベルが許容可能であるかをユーザが判定するのを助ける。ストレッサーセンサは、傾向及び履歴データを示すことができ、ユーザは、状況が改善されているか否かを知ることができる。
【００６０】
　
ストレッサーセンサは、どの外部信号が現在のストレッサーレベルに最も寄与しているかを示し、個々の音、光／画像のレベル、並びに加速度を示すことができる。これは、どの環境の状況が変化される必要があるかに関してユーザに正確なフィードバックを与える
【００６１】
　ストレッサーセンサを拡張してシンボリックストレッサーの態様を含むため、多数の異なるタスク及びデッドラインもストレスを誘発するので、デジタルアジェンダ及び／又はプロジェクトプランニングソフトウェアへのリンクを構築することができる。また、ワークペースプログラムは、ユーザのコンピュータでの活動を典型的にチェックするので、ワークペースプログラムを構築する場合があり、コンピュータでの活動は、重みを有することができる。旅行は認識の努力を必要とする多くの新たな経験を与え、ストレスが特定のロケーションと関連する場合があるので、グローバルポジショニングシステムには、ストレッサーの重みが同様に与えられる。運転に関連したシンボリックストレッサーを効果的に考慮することができるように、ストレッサーセンサは、車内のストレス管理システムにリンクすることができる。
【００６２】
　実施の形態では、ストレッサー検出システム１００は、人により受けたストレスに関連するストレス値を取得するストレス検出手段１０５を更に有する。この値は、処理手段に通過される。ここでは、ストレス値と人により経験されたストレスとの間の関係が確立され、改善される。ストレス検出手段１０５は、ストレスセンサを有する（たとえばストレス検出手段１０５は、パルスレート、体温、ＧＳＲ（galvanic　skin　reflex）、及び／又はボイスピッチを確定することを含む）。代替的に、ストレス検出手段１０５は、人が受けたストレスに関連される情報をストレッサー検出システムに彼が示すのを可能にするユーザインタフェースを有する。ストレスセンサとユーザインタフェースとの組み合わせを使用することができる。処理手段１０２は、ストレッサーセンサ１０１、ストレス検出手段１０５、及び／又は筋電図検査システム１０４からの入力を受け、たとえば割り当てられた重みに基づいて及び割り当てられた重みを変えることで、公知のパターン認識／人口学習技術を使用して、ユーザがどの位良好にストレスの多い環境及び状況に対処することができるかを長い期間をかけて学習する。前記重みは、上述された入力とストレッサー値との間の関係のモデルで現れるパラメータを含む。一度これが既知となると、ユーザは、不健康なストレスのレベルに（長い時間をかけて）つながる環境に入ったときに出力手段１０３を使用して警告される。また、たとえば、職務明細書は、「ストレスに抵抗力のある人を募集」を記載する場合がある。本発明は、変化した重みを、ストレスに抵抗力のある人の所望の特性に対応するために知られる予め決定された重みに比較することで、この要件を定量化する。」
第５　対比・判断
１　本願発明１について
（１）本願発明１と引用発明とを対比する。
ア
（ア）引用発明の、「乳児５２」は、本願発明１の「人」に相当する。
（イ）引用発明の「光検知器６２及び音検知器６４はともに、微環境５６のそれぞれの内部の環境状態を検出」するのであるから、検出される「環境状態」である「光」及び「音」が、「乳児５２」に関連していることは明らかである。
（ウ）上記（ア）及び（イ）を踏まえると、引用発明の「それぞれの乳児５２は、個別の乳児治療ステーション２１２内に置かれ、乳児治療ステーション２１２は、乳児５２の周りに微環境５６を画定し、微環境５６の周りに配設された環境検知器５８」「を備え」、「環境検知器５８は、光検知器６２及び音検知器６４を含み、光検知器６２及び音検知器６４はともに、微環境５６のそれぞれの内部の環境状態を検出」する「複数の乳児５２の生理学的状態を監視するためのシステム２１０」は、本願発明１の「人に関する光及び音インパクトをモニタするシステム」に相当する。
イ　引用発明の「光検知器６２」が継続的に検出を行うことは明らかであるから、引用発明の「乳児５２の周りに」「画定」された「微環境５６の周りに配設され」、「微環境５６の」「内部の環境状態を検出」する「光検知器６２」は、本願発明１の「時間にわたり前記人の環境光をキャプチャする光キャプチャユニット」に相当する。
ウ　引用発明の「音検知器６４」が継続的に検出を行うことは明らかであるから、引用発明の「乳児５２の周りに」「画定」された「微環境５６の周りに配設され」、「微環境５６の」「内部の環境状態を検出」する「音検知器６４」は、本願発明１の「時間にわたり前記人の周囲音をキャプチャする音キャプチャユニット」に相当する。
エ
（ア）引用発明の「中央処理装置６８」は、「乳児の生理学的パラメータ及び運動を分析することによって、乳児のストレスレベルを決定することが可能であ」ることから、「乳児のストレスレベルを決定する」機能を有するものである。
（イ）上記（ア）を踏まえると、引用発明の「乳児の生理学的パラメータ及び運動を分析することによって、乳児のストレスレベルを決定することが可能であ」る「中央処理装置６８」は、本願発明１の「前記人のストレスレベルを決定するストレスレベルプロセッサ」に相当する構成を備えているといえる。
オ
（ア）引用発明の「中央処理装置６８は、乳児治療ステーション２１２の処理装置６６のそれぞれから生理学的検知器信号を受け取り、生理学的検知器信号は、乳児ストレスレベルを決定する際にさらに使用され」、「環境検知器５８及び外部環境検知器２１４からの信号を比較し、相関付けることが可能であり、様々なストレッサーと乳児治療ステーションのそれぞれとの間の相関関係を決定でき」ることから、引用発明が、「環境検知器５８」に含まれる「光検知器６２及び音検知器６４」からの出力、生理学的検知器信号並びに乳児ストレスレベルを記憶する手段を有していることは明らかである。
（イ）上記（ア）を踏まえると、引用発明は、本願発明１の「前記トリガ信号を受信するとき、前記トリガ信号を受信する時間の周りでキャプチャされる環境光及び周囲音の断片と、前記トリガ信号を受信する時間の周りでの前記人のストレスレベル情報の断片とを格納する格納ユニット」と、「キャプチャされる環境光及び周囲音のデータと、前記人のストレスレベル情報のデータとを格納する格納ユニット」で共通する構成を備えているといえる。
カ
（ア）引用発明の「環境検知器５８は、光検知器６２及び音検知器６４を含」むこと、及び、上記オを踏まえると、引用発明の「環境検知器５８及び外部環境検知器２１４からの信号を比較し、相関付けることが可能であり、様々なストレッサーと乳児治療ステーションのそれぞれとの間の相関関係を決定でき、特定の乳児のストレスレベルと正に相関付けられる環境状態及び／又は外部環境状態を識別することが可能であり、環境検知器５８及び外部環境検知器２１４からの受信した信号に基づいて、特定の環境ストレッサーの疑わしい場所を識別」することと、本願発明１の「前記環境光、周囲音及びストレスレベル情報の格納された断片に基づき、前記トリガ信号をもたらした前記環境光及び／又は周囲音の根本原因を識別」することとは、「前記環境光、周囲音及びストレスレベル情報の格納されたデータに基づき、前記環境光及び／又は周囲音について判断」することで共通する。
（イ）引用文献１の段落【００６１】の「中央処理装置６８は、環境状態および外部環境状態のうちのいずれが、特定の乳児治療ステーションにおける所与の乳児の高いストレスレベルと最も高く相関付けられるのかに関して、具体的なデータを医師に提供することが可能になる。次いで、医師は、可能な限り乳児のそれぞれが体験したストレスを抑えるために、ＮＩＣＵ内の自分の振る舞いおよび／または環境を修正することができる。」との記載によれば、引用発明の「グラフィックディスプレイ７２においてこれらの相関関係を表示することが可能である」ことは、表示を見た医師に光及び音を含む環境を修正するための手段を想起させる情報を提供することが可能であるといえる。
　そして、係る「光及び音を含む環境を修正するための手段を想起させる情報を提供することが可能である」ことは、本願発明１の「光及び／又は音を回避する方法を示すガイダンス情報を得ることを可能にする」ことに相当する。
（ウ）上記（ア）及び（イ）を踏まえると、引用発明の「環境検知器５８及び外部環境検知器２１４からの信号を比較し、相関付けることが可能であり、様々なストレッサーと乳児治療ステーションのそれぞれとの間の相関関係を決定でき、特定の乳児のストレスレベルと正に相関付けられる環境状態及び／又は外部環境状態を識別することが可能であり、環境検知器５８及び外部環境検知器２１４からの受信した信号に基づいて、特定の環境ストレッサーの疑わしい場所を識別し、グラフィックディスプレイ７２においてこれらの相関関係を表示することが可能である」「中央処理装置６８」は、本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にするレビューユニット」と、「前記環境光、周囲音及びストレスレベル情報の格納されたデータに基づき、前記環境光及び／又は周囲音について判断し、判断した結果に基づき、光及び／又は音を回避する方法を示すガイダンス情報を得ることを可能にするレビューユニット」で共通する構成を備えているといえる。
（２）よって、本願発明１と引用発明とは、
「　人に関する光及び音インパクトをモニタするシステムであって、
　時間にわたり前記人の環境光をキャプチャする光キャプチャユニットと、
　時間にわたり前記人の周囲音をキャプチャする音キャプチャユニットと、
　前記人のストレスレベルを決定するストレスレベルプロセッサと、
　キャプチャされる環境光及び周囲音のデータと、前記人のストレスレベル情報のデータとを格納する格納ユニットと、
　前記環境光、周囲音及びストレスレベル情報の格納されたデータに基づき、前記環境光及び／又は周囲音について判断し、判断した結果に基づき、光及び／又は音を回避する方法を示すガイダンス情報を得ることを可能にするレビューユニットとを有する、システム。」
の発明である点で一致し、次の３点で相違する。
（相違点１）
　本願発明１は、「キャプチャされた環境光の輝度が輝度閾値を超える場合及び／又はキャプチャされた周囲音の音レベルが音閾値を超える場合、トリガ信号を生成して出す閾値ユニット」を有しているのに対し、引用発明は、そのような特定はされていない点。
（相違点２）
　格納ユニットが格納するキャプチャされる環境光及び周囲音のデータと、前記人のストレスレベル情報のデータについて、本願発明１においては、「前記トリガ信号を受信するとき、前記トリガ信号を受信する時間の周りでキャプチャされる環境光及び周囲音の断片と、前記トリガ信号を受信する時間の周りでの前記人のストレスレベル情報の断片」であるのに対し、引用発明においては、「トリガ信号を生成して出す閾値ユニット」を有することが特定されていないことから、「前記トリガ信号を受信するとき、前記トリガ信号を受信する時間の周りで」「の断片」であることの特定はされていない点。
（相違点３）
　「レビューユニット」が「前記環境光、周囲音及びストレスレベル情報の格納されたデータに基づ」いて行う「前記環境光及び／又は周囲音について」の「判断」が、本願発明１においては、「前記トリガ信号をもたらした前記環境光及び／又は周囲音の根本原因を識別」することであるのに対し、引用発明においては、「環境検知器５８及び外部環境検知器２１４からの信号を比較し、相関付けること」、「様々なストレッサーと乳児治療ステーションのそれぞれとの間の相関関係を決定」し「特定の乳児のストレスレベルと正に相関付けられる環境状態及び／又は外部環境状態を識別すること」、及び、「特定の環境ストレッサーの疑わしい場所を識別」することである点。
（３）相違点についての判断
ア　事案に鑑み、最初に上記相違点３について検討する。
（ア）環境変化をもたらした原因の識別に関する記載として、引用文献１には、次ぎの記載がある。
「【００５７】
　図８Ａにおいて、外部光のグラフ２４０および光のグラフ２４２はともに、相２５２から相２５４に移る間に急激な上昇を示す。これは、ＮＩＣＵの一部の中で医師がライトをつけたことに容易に対応する場合があり得、または図８Ａに示す乳児の微環境に達することが可能な別の発生源による周囲光からの場合もあり得る。外部光のグラフ２４０および光のグラフ２４２はともに、互いに追いかけ、そのことは、外部光が、より高いレベルのストレスを体験している乳児に関与することになり得るストレッサーのうちの少なくとも１つであることを示すことができる。・・・
【００５８】
　図８Ｂを参照すると、光のグラフ２４２、ＳＰＯ２のグラフ２４４、心拍数のグラフ２４６、呼吸数のグラフ２４８、および運動のグラフ２５０はすべて、概して、図８Ａに示すグラフと同様の傾向を示す。しかし、外部光のグラフ２４０は、図８Ａと図Ｂとでは非常に異なる。図８Ｂの外部光のグラフは、ベースラインレベルから動いていない。しかし、光のグラフ２４２が示すように、微環境内には光が依然、存在する。乳児は、光のグラフ２４２に示される光に応答して、ストレスレベルの上昇を示す。しかし、外部光は存在しないので、乳児を混乱させている光の発生源は、図８Ａの乳児を混乱させている光の発生源とは異なる可能性が高い。例えば、光のグラフ２４２をもたらす光源は、乳児を照らすことを目的とする乳児治療ステーション内に格納されたライトからである可能性がある。
【００５９】
・・・外部光のグラフ２４０と光のグラフ２４２との間の類似性は、外部光が、乳児のストレス反応の上昇に関与するストレッサーのうちの最も可能性があるストレッサーであることを意味する。比較すると、図８Ｂは、光のグラフ２４２の相２５４で明らかなように、微環境において可視であるライトのスイッチが入ったことを示している。しかし、相２５４における外部光のグラフ２４０には変化はない。したがって、中央処理装置６８は、乳児のストレスレベルの上昇が、微環境内部からは目に見える光ではあっても、ＮＩＣＵにおける外部光からではない光と相関していると決定することができるようになる。
【００６０】
　乳児治療ステーションを囲むＮＩＣＵの環境状態について外部環境検知器から信号を取得することは、１人または複数の医師が、様々な乳児に影響をもたらすストレッサーを正確に識別するのに役立つ。これらのデータに基づいて、医師は、ＮＩＣＵの乳児が体験するストレスレベルを最小限に抑えるために、ルーチンおよび振る舞いを修正することができる。図８Ａおよび図８Ｂに示す例は、１つの外部検知器、すなわち外部光検知器からの信号しか含んでいないので、比較的単純である。しかし、外部光検知器からのデータを使用することによって、中央処理装置は、図８Ａの外部光レベルと乳児に対するストレスレベルとの間、および図８Ｂの光レベルと乳児に対するストレスレベルとの間の相関付けを行うことができる。外部検知器データなしでは、医師は、効果的にストレッサーを取り出すことができなくなる。図８Ａおよび図８Ｂに示す例示的な実施形態からのデータに基づいて、医師は、ＮＩＣＵの状態を修正して、図８Ａと関連する乳児によるＮＩＣＵの外部光を抑え、図８Ｂと関連する乳児の微環境内の光を抑えることが可能になる。これらの２人の乳児は、ＮＩＣＵの別の場所、あるいはさらには別の部屋に場所決めされる可能性があるので、１つまたは複数の外部環境検知器からの追加の詳細が、医師らの負担を和らげ、乳児に対してより低いストレス環境を生み出すことになり、そのことは、早産児の生存率および長期的健康を上昇させるために重要であり得る。
【００６１】
　本明細書において上述した例示的実施形態は、１つのタイプの外部環境検知器からのみのデータを使用しているが、他の実施形態は、種々のタイプの外部環境検知器または複数の外部環境検知器を含むことができることを認識されたい。（図７に示す）中央処理装置６８によって実行される相関付けは、いずれの外部環境状態が所与の乳児のストレスレベルの上昇に関与しているのかはすぐに明らかにならない場合があるので、さらなる変化に対処する際には尚更重要である。」
　引用文献１の上記記載によれば、引用文献１は、中央処理装置が、微環境内の環境検知器の出力と外部環境検知器を比較することにより、環境検知器の出力のみが変化している場合はストレッサーが微環境内にあり、環境検知器の出力と外部環境検知の出力の双方が変化している場合はストレッサーが微環境の外部にあると判断することを開示していると解される。
　しかしながら、ストレッサーが微環境の内部にあるか外部にあるかを判断することは、本願発明１の「根本原因」を識別することとは、技術的思想が異なることである。
　また、引用文献１の上記記載には、微環境内外の光及び音といった環境を変化させた光及び音などの発生源（本願発明１の「根本原因」に相当する。）について、「乳児治療ステーション内に格納されたライト」の例示はあるものの、微環境内の光強度を増加させる可能性がある光源を例示したものにすぎず、光強度検知の出力を解析して微環境内の光強度を増加させた光源が「乳児治療ステーション内に格納されたライト」であると判断することを開示又は示唆するものではない。
　そして、引用文献１全体の記載を見ても、環境変化をもたらした光又は音の発生源が何であるかを中央処理装置が判断することを開示又は示唆する記載は見当たらない。
（イ）引用文献２は、光センサ、マイクロフォン及び加速度計などのセンサ手段により得られる信号から、ストレッサーレベルに最も寄与している環境を判断することを開示している。
　また、引用文献２は、日光及びフルスペクトル光と蛍光灯のような非自然光とはスペクトルが異なり、ストレスに対する影響も異なることを指摘し、カラーレンダリングインデックス（ＣＲＩ）及び色温度（ＣＴ）といったスペクトル測定を行うことを開示している。
　しかしながら、光センサの出力が増加したときに、その増加をもたらした光が日光によるものであるのか、蛍光灯によるものであるのかを判断することを、開示又は示唆する記載は見当たらない。
（ウ）さらに、引用文献３ないし６も、上記相違点３に係る本願発明１の発明特定事項を開示又は示唆するものではない。
（エ）そうすると、上記相違点３に係る本願発明１の発明特定事項は、引用文献１ないし６に接した当業者といえども、容易に想起し得たとはいえない。
イ　したがって、上記相違点１及び２について判断するまでもなく、本願発明１は、引用発明及び引用文献２ないし６の記載事項に基づいて、当業者が容易に発明をすることができたものではない。
２　本願発明２ないし１０について
　本願発明２ないし１０は、本願発明１を減縮した発明であって、本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にするレビューユニット」と同一の構成を備えるものであるから、本願発明１と同じ理由により、引用発明及び引用文献２ないし６の記載事項に基づいて、当業者が容易に発明をすることができたものではない。
３　本願発明１１について
　本願発明１１は、本願発明１に対応する方法の発明であり、本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にする」に対応する構成を備えるものであるから、本願発明１と同様の理由により、引用発明及び引用文献２ないし６の記載事項に基づいて、当業者が容易に発明をすることができたものではない。
４　本願発明１２について
　本願発明１２は、システムに係る発明である本願発明１から、「光キャプチャユニット」及び「音キャプチャユニット」を除いたデバイスに係る発明に対応し、本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にするレビューユニット」と同一の構成を備えるものであるから、本願発明１と同じ理由により、引用発明及び引用文献２ないし６の記載事項に基づいて、当業者が容易に発明をすることができたものではない。
５　本願発明１３について
　本願発明１３は、本願発明１２に対応する方法の発明であり、本願発明１２と同様に本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にする」に対応する構成を備えるものであるから、本願発明１と同様の理由により、引用発明及び引用文献２ないし６の記載事項に基づいて、当業者が容易に発明をすることができたものではない。
６　本願発明１４について
　本願発明１４は、本願発明１３をコンピュータで実行させるためのコンピュータプログラムに対応する発明であり、本願発明１３と同様に本願発明１の「前記環境光、周囲音及びストレスレベル情報の格納された断片に基づき、前記トリガ信号をもたらした前記環境光及び／又は周囲音の根本原因を識別し、前記識別された根本原因に基づき、斯かる光及び／又は音を回避する方法を示すガイダンス情報を得ることを可能にする」に対応する構成を備えるものであるから、本願発明１と同様の理由により、引用発明及び引用文献２ないし６の記載事項に基づいて、当業者が容易に発明をすることができたものではない。
第６　むすび
　以上のとおり、本願発明１ないし１４は、当業者であっても、原査定において引用された引用文献１ないし６に基づいて容易に発明をすることができたものではない。したがって、原査定の理由によっては、本願を拒絶することはできない。
　また、他に本願を拒絶すべき理由を発見しない。
　よって、結論のとおり審決する。